(57)【特許請求の範囲】
【請求項１】
帳票挿入口に位置合せマークが設けられており、帳票を帳票挿入口に挿入して帳票上の基準マークを前記位置合せマークに合わせた後に、前記帳票を所定量搬送して印字を行う印字装置において、
前記位置合せマークは、第１の位置合せマークと、第１の位置合せマークの上流側に配設された第２の位置合せマークとを備え、かつ第１の位置合せマークの下流側に配設された、前記帳票の位置検出手段とを設け、
最初に第１の位置合せマークに前記基準マークを合わせてセットされた前記帳票が、前記位置検出手段で検知しない場合は、その位置から搬送を開始し、検知した場合は、第２の位置合せマークに前記基準マークを合せてセットされた位置から搬送を開始することを特徴とする印字装置。
【請求項２】
前記位置検出手段は光学センサであることを特徴とする請求項１記載の印字装置。
【発明の詳細な説明】
【０００１】
【発明の属する技術分野】
この発明は、種類や様式、また取り扱いによって印字開始位置が変化する帳票を扱う印字装置に関し、帳票を搬送基準位置にセットした後、そこから所定量搬送して印字開始位置に位置付けて印字を行う印字装置に関する。
【０００２】
【従来の技術】
この種の帳票としては、金融機関で用いられている通帳や各種帳票がある。そこで、これら帳票への印字方法を図を使って説明する。図９は、印字装置を上面から見た図であり、帳票挿入口と印字部の周辺を示している。この印字装置の場合、オペレータが帳票１１を印字装置１０２にセットし、図示せぬ開始キーを押すことによって印字装置１０２が帳票１１を取り込み、印字を開始する。ここで、従来の印字装置１０２では位置合せマーク１を設け、この位置合せマーク１に帳票１１の左端面に印刷された基準マーク１１１，１１２を合わせ、予め設定された一定距離だけ搬送して印字を行う。この場合、帳票の種類によって、基準マークは１個所、２個所、と個数が異なり、また種々の位置に印字されていた。
【０００３】
図７に帳票１１の一例を示す。この帳票には、帳票を特定する口座番号を記載する欄の他、入金年月日、支店コード、入金金額、満期日を記載する欄、さらに別の行に出金年月日、支店コード、出金金額を記載する欄が設けられているおり、所定の欄が選択されて印字される。また、印字開始位置と対応して２つの基準マーク１１１,１１２が予め印刷されている。入金の際には位置合せマーク１に基準マーク１１１を合わせ、出金の際には位置合せマーク１に基準マーク１１２を合わせる。図７は入金に必要な印字を終えたときの帳票を示す。１１０はバーコードであり、入金時に口座番号等、この帳票１１が特定される情報が印字される。
【０００４】
入金の場合、オペレータは番号や金額等を図示せぬキーボードから入力し、印字装置１０２の位置合せマーク１に基準マーク１１１を合わせ、図示せぬ「開始」キーを押す。これにより、帳票が一定量搬送されて所定の位置に入金年月日や金額、バーコード等が印字される。出金の場合、オペレータは番号等の必要な項目を入力し、印字装置１０２の位置合せマーク１に基準マーク１１２を合わせ、図示せぬ「開始」キーを押す。これにより、印字装置１０２により所定の位置に出金年月日や出金金額などが印字される。
【０００５】
帳票の種類は様々であり、また基準マークの位置も一定ではないため、大きな帳票の下方に印字する場合もある。このような場合、帳票を装置の奥まで挿入して位置合わせマークと基準マークを合わせるため、フィードローラを開いて帳票の位置合わせが終わってからフィードローラをクランプし、吸入するようにしている。
【０００６】
また、最近では印字を行う前に帳票に印刷、印字されているバーコードや文字等を読み取る場合もあるが、その場合、イメージリーダ９よりも挿入された帳票が奥に入らないようにするため、帳票の挿入時にイメージリーダ９よりも手前のフィードローラ３ｃをクランプする。位置合せをした後で図示せぬ「開始」キーが押されると、印字装置１０２はフィードローラ３ａ、３ｂ、３ｄ、３ｅをクランプして帳票を吸入し、必要なバーコードや文字等を読み取った後所定の位置まで搬送し、印字を行なう。
【０００７】
【発明が解決しようとする課題】
従来の印字装置１０２では、図８で示される帳票１２のような長い帳票の下側、例えば基準マーク１２９の行に印字するためには基準マーク１２９と位置合わせマーク１を合わせる。このとき、フィードローラ３ｃがクランプされていると、フィードローラ３ｃと位置合わせマーク１との距離が帳票１２の先端と基準マーク１２９との距離よりも短いと長さが不足し、帳票１２をセットすることが出来ない。これを解決するためには搬送路を長くしてフィードローラ３ｃと位置合せマーク１の距離を長くすれば良いが、装置が大型化するという問題があった。また、フィードローラ３ｃを開放している場合は長い帳票１２でも位置合せ可能であるが、イメージリーダ９が帳票の読み取り位置を検出出来ず、用紙を一度排出させてから再び取り込む必要があり、時間がかかるという問題があった。
【０００８】
【課題を解決するための手段】
本発明は上述の課題を解決するために、帳票挿入口に位置合せマークが設けられており、帳票を帳票挿入口に挿入して帳票上の基準マークを前記位置合せマークに合わせた後に、前記帳票を所定量搬送して印字を行う印字装置において、前記位置合せマークは、第１の位置合せマークと、第１の位置合せマークの上流側に配設された第２の位置合せマークとを備え、かつ第１の位置合せマークの下流側に配設された、前記帳票の位置検出手段とを設け、最初に第１の位置合せマークに前記基準マークを合わせてセットされた前記帳票が、前記位置検出手段で検知しない場合は、その位置から搬送を開始し、検知した場合は、第２の位置合せマークに前記基準マークを合せてセットされた位置から搬送を開始するようにしたものである。
【０００９】
上述のように印字装置１０１を構成したので長い帳票の下方に印字する場合においても位置合せマークと帳票上の基準マークを合わせることができる。それにより、印字装置の奥行を短くすることが出来る。また、帳票上の文字やバーコードを読み取る場合においても、用紙を一度排出してから再度取り込んで帳票を読み取る必要が無くなり、処理時間が少なく済むようになる。
【００１０】
【発明の実施の形態】
以下、この発明の実施の形態を図面を参照して説明する。
図１はこの発明を適用した印字装置１０１の平面図であり、図２は印字装置１０１の左側面図である。１、２はオペレータが帳票の印字開始位置を合わせる位置合せマークであり、帳票を合わせる位置に応じて位置合わせマーク１又は位置合わせマーク２が用いられる。３ａ、３ｂ、３ｃ、３ｄ、３ｅは帳票を上下から挟持し搬送するフィードローラで、帳票の搬送方向にわたって左右に複数設けられており（図１参照）、また、帳票を挟んで上下に一対設けられている（図２参照）。４は帳票に印字を行うインパクト方式のヘッドである。５は帳票の位置を検出するための用紙検知センサである。
【００１１】
７は帳票の上方に設けられたガイドであり、このガイド７の上側にフィードローラ３ａ、３ｂ、３ｃ、３ｄ、３ｅが回転自在に支持されている（図２参照）。また、ガイド７の上側のフィードローラ３ａ、３ｂ、３ｃ、３ｄ、３ｅはそれぞれ図示せぬクランプマグネットにより上下し、上側のフィードローラ３ａ、３ｂ、３ｃ、３ｄ、３ｅを下げることにより上下のフィードローラ３ａ、３ｂ、３ｃ、３ｄ、３ｅにより帳票を挟み込み、帳票に圧力をかけ搬送する。６は帳票を印字装置１０１へセットするためのステージであり、８は媒体が通過する搬送路を示す。９はイメージリーダであり、帳票に記載されたバーコードや文字を読み取る。
【００１２】
図３は印字装置１０１のハードウェアブロック図である。３１はＣＰＵであり、３２はＣＰＵが行う処理のプログラムデータが記憶されたＲＯＭであり、３３は前記ＣＰＵが処理を行うときに使用する各種メモリエリアで構成されたＲＡＭであり、 ３４はホストコンピュータと交信を行うときに使用する通信インタフェース部（Ｉ／Ｆ）であり、３５は印字ヘッド４を制御する印字コントローラであり、３６はキーボード３８を制御するキーボードコントローラである。３７は後述の搬送制御を行なう搬送コントローラであり、３１２はイメージリーダ９を制御するためのイメージリーダコントローラであり、それぞれシステムバス３１１に接続されている。 ＲＡＭ３３には位置合せマーク１から印字ヘッド４までの距離Ｌ１、位置合せマーク２から印字ヘッド４までの距離Ｌ２、搬送モータ３９を１パルス分駆動時の搬送距離、位置合わせマーク１、２のどちらを使用するかを記憶するための変数Ａやイメージリーダ９で読み取ったイメージ等が記憶される。
【００１３】
搬送コントローラ３７は、ＣＰＵ３１の指示によりフィードローラ３ａ、３ｂ、３ｃ、３ｄ、３ｅを駆動する搬送モータ３９や、フィードローラ３ａ、３ｂ、３ｃ、３ｄ、３ｅをそれぞれ上下させるクランプマグネット３１０ａ、３１０ｂ、３１０ｃ、３１０ｄ、３１０ｅを制御する。また、帳票の位置を検知する帳票検知センサ５の状態を読み取り、ＣＰＵ３１に通知する。
【００１４】
入金や出金の場合、オペレータは入金の場合は番号や入金金額等をキーボード３８から入力し、また出金の場合は番号をキーボード３８から入力して、印字装置１０１の位置合せマーク１または位置合せマーク２に帳票の基準マーク１１１あるいは１１２を合わせる。帳票の大きさや印字位置によって位置合せマーク１と位置合せマーク２のどちらを用いるかを図示せぬ画面で指示される。オペレータはキーボード３８の「開始」キーを押す。印字装置１０１は、所定の位置に入金年月日や出金年月日、金額など処理に合わせて印字する。なお、口座番号等が帳票にバーコードで印刷されている場合は、キーボード３８から番号を入力せずに「開始」キーを押す。印字装置１０１は帳票を吸入した後、イメージリーダ９によりバーコードを読取り、口座番号として図示せぬ画面に表示する。
【００１５】
図４はステージ６にセットされた帳票１１を印字位置まで搬送する制御方法を示すフローチャートである。以下このフローチャートに従って吸入の動作を説明する。上位装置から吸入を指示されるとまずクランプマグネット３１０ｃを作動させてフィードローラ３ｃを下げる（ＳＴ１）。次にオペレータは図５のようにステージ６の上に帳票１１を置き、位置合せマーク１に基準マーク１１１を合わせる。このとき、用紙検知センサ５で帳票１１は検知されないので（ＳＴ２）、画面には「位置合せマーク１に合わせる」と表示されている（ＳＴ１１）。また、変数Ａには「位置合わせマーク１を使用」することを意味する値１が記憶される。（ＳＴ１２）。そして、キーボード３８からの「開始」キー入力を待つ（ＳＴ５）。
【００１６】
「開始」キー入力が行われると、変数Ａの状態がチェックされ（ＳＴ６）、この場合は変数Ａの値は１であることから、ＳＴ１３方向へ処理は進められる。ＳＴ１３では、図示せぬクランプマグネット３１０を作動させてガイド７の上側のフィードローラ３ａ、３ｂ、３ｄ、３ｅを下げ、これにより帳票１１をクランプする（ＳＴ１３）。そして、搬送モータ３９を１パルス駆動する（ＳＴ１４）。次に、イメージリーダ９から１ライン分のイメージを読取り、ＲＡＭ３３に格納する（ＳＴ１５）。次に帳票１１を距離Ｌ１搬送したかを判定する（ＳＴ１６）。この判定は、距離Ｌ１と搬送モータ３９の１パルス分の搬送距離から距離Ｌ１搬送するのに必要なパルス数を求め、このパルス数と実際に搬送モータ３９に印加したパルス数を比較することにより行う。
【００１７】
ステップＳＴ１４の判定結果がＮｏの場合は、再びステップＳＴ１４に戻って更に搬送モータ３９を駆動する。搬送モータ３９を駆動して行くと、やがて帳票１１が距離Ｌ１搬送される。そのため、ステップＳＴ１４の判定結果がＹｅｓとなり、帳票１１の印字開始行を印字ヘッド４に位置付けられる。
【００１８】
以上、帳票１１の場合を説明したが、長い帳票である帳票１２の場合、用紙検知センサ５で帳票１２が検知される場合と検知されない場合がある。用紙検知がなされない場合、帳票１１の場合の搬送例と同様に動作するが、用紙検知がされている場合は（ＳＴ２）、図示せぬ画面に「位置合せマーク２を使用」と表示され（ＳＴ３）、変数Ａは値０にセットされる（ＳＴ４）。キー入力が行われた後に変数Ａの値がチェックされ値が０であることから（ＳＴ６）、ＳＴ７へ処理が進められる。ＳＴ１３からＳＴ１６の代わりにＳＴ７からＳＴ１０が使用され、距離Ｌ２搬送される点を除き動作は同様である。
【００１９】
なお、本実施例では、フィードローラ３ａ、３ｂ、３ｃ、３ｄ、３ｅに対してそれぞれクランプマグネット３１０ａ，３１０ｂ、３１０ｃ、３１０ｄ、３１０ｅを設けたが、３ａ、３ｂの２組及び３ｃ、３ｄ、３ｅの３組をそれぞれ一群として一つのクランプマグネットで制御しても良いし、３ｃ、３ｄ、３ｅについてはクランプした状態で固定し、クランプマグネットを省略しても良い。
【００２０】
また、位置合わせマーク１と位置合わせマーク２の指定を図示せぬ画面に表示することにしたが、位置合わせマーク１、２の近くにＬＥＤなどの発光手段を設け、それによりどちらの位置合わせマークを使用するかを指定してもよい。
【００２１】
【発明の効果】
以上詳述したようにこの発明によれば、帳票の位置を検出する用紙検出センサ５を設け、このセンサの状態により位置合せマーク１、２を切り替えるようにしたので、印字装置１０１全体の奥行きを短くすることが出来る。またイメージリーダ９で帳票上の文字やバーコードを読み取った後で印字を行なう場合でも、処理時間が少なくなる。
【図面の簡単な説明】
【図１】この発明の一実施例を示す印字装置の平面図である。
【図２】図１の印字装置の左側面図である。
【図３】本発明に係る印字装置のブロック図である。
【図４】実施例の印字装置のフローチャートである。
【図５】帳票の印字位置合せを説明する図である。
【図６】帳票の印字位置合せを説明する図である。
【図７】帳票の例を示す図である。
【図８】長い帳票の例を示す図である。
【図９】印字装置の例を示す平面図である。
【符号の説明】
１  位置合せマーク
２  位置合せマーク
３ａ、３ｂ、３ｃ、３ｄ、３ｅ  フィードローラ
４  印字ヘッド
５  用紙検知センサ
６  ステージ
７  ガイド
８  搬送路
９  イメージリーダ
１１、１２  帳票
１０１、１０２  印字装置
１１１、１１２、１２１〜１２９  基準マーク
【図１】
0004269438.tif 000002
【図２】
0004269438.tif 000003
【図３】
0004269438.tif 000004
【図４】
0004269438.tif 000005
【図５】
0004269438.tif 000006
【図６】
0004269438.tif 000007
【図７】
0004269438.tif 000008
【図８】
0004269438.tif 000009
【図９】
0004269438.tif 000010